(57)【要約】【課題】  液晶モニタ等の電子機器を規格化されたシステムラックに収納することができ、さらにチルト機構を設けたラックマウントを提供することを目的とするものである。【解決手段】  システムラックに液晶モニタ１１を固定するためのラックマウント１３であって、ラックマウント１３がシステムラックの間口より大きい液晶モニタ１１を設置するための枠体１５を備え、液晶モニタ１１の傾斜角を枠体１５により設定するチルト機構を備えたラックマウントである。【選択図】  図２
2006227077.tif 000002
【特許請求の範囲】
【請求項１】
システムラックに電子機器を固定するためのラックマウントであって、
前記ラックマウントが、前記システムラックの間口より大きい電子機器を設置するための枠体を備え、該枠体に前記電子機器の傾斜角を設定するチルト機構を備えたことを特徴とするラックマウント。
【請求項２】
前記ラックマウントが、前記システムラックに固定するためのラック固定用ブラケットを備え、かつ該ラック固定用ブラケットに対して前記枠体を前後方向に移動可能なスライド機構を備えることを特徴とする請求項１に記載のラックマウント。
【請求項３】
前記スライド機構が、前記枠体の側壁板と前記ラック固定用ブラケットとの間に平板を設け、該平板に前記電子機器の奥行き方向の位置調整用に任意のピッチで設けられた奥行き調整用孔群が設けられ、該奥行き調整用孔群の任意の貫通孔と前記ラック固定用ブラケットに設けられた奥行き固定用孔とをネジで締結し、前記電子機器の奥行き方向の位置決めをすることを特徴とする請求項２に記載のラックマウント。
【請求項４】
前記ラックマウントが、前記枠体の前面部に、前記電子機器を固定する電子機器固定用ブラケットを備え、前記チルト機構が、前記枠体の左右両側壁板の上下に円弧に沿う傾斜角調整用孔群が設けられ、該傾斜角調整用孔群から該電子機器を所望の傾斜角とする傾斜角調整用孔を選択し、該傾斜角調整用孔と前記平板に設けた傾斜角固定用孔とをネジで締結し、前記システムラックに対する前記電子機器の傾斜角の位置決めをすることを特徴とする請求項３に記載のラックマウント。
【請求項５】
前記電子機器は前記システムラックの間口より幅が大きい液晶モニタであることを特徴する請求項１〜４の何れかに記載のラックマウント。
【発明の詳細な説明】
【技術分野】
【０００１】
本発明は、液晶モニタ等の横幅の広い電子機器を規格化したシステムラックに装着するためのラックマウントに関するものである。
【背景技術】
【０００２】
液晶モニタは、高画質、ワイド画面の放送規格化に伴って、視野角の広い画面になっており、規格化されたシステムラックには収納できなくなっている。先ず、従来の小型液晶モニタを収納するラックマウントについて、図６を参照して説明する。同図において、ラックマウント１には液晶モニタ２が設けられた液晶パネル３が装着され、チルト機構４が設けられ、チルト機構４により液晶パネル３の画面の傾斜角Ｑａ，Ｑｂが調整されており、液晶パネル３を固定したシステムラック１の取付部５にネジでラックマウント６を締結して固定されている。液晶パネル３の幅は、システムラック１の開口部の幅より狭いものを対象としている（例えば、特許文献１参照）。
【０００３】
【特許文献１】特開２００２−２５０９１０号公報（明細書段落〔００１１〕〜〔００１７〕，図面図１）
【発明の開示】
【発明が解決しようとする課題】
【０００４】
近年、高性能の液晶モニタが普及しており、この種の液晶モニタは奥行きが狭く、大型画面であり、規格化されたシステムラックに収納することができない。画面サイズが２０インチを越すサイズの液晶モニタは、規格化された１９インチのシステムラックに搭載することは不可能であるし、既存の設備に使用されているシステムラックに大型画面の液晶モニタを組み込まねばならないことがあり、これらの要求に対応する必要があった。また、２０インチの画面の液晶モニタに合わせて作製したシステムラックに液晶モニタを搭載したとしても、システムラックに収納される他の操作或いは制御パネルの横幅を広いものにしなければならず、システムラックに合わせて、これらの電子機器の形状を変更するのは困難な面があり、製造コストの面からも問題があった。また、液晶モニタについてのみならず、制御パネルなども電子回路の高度集積化に伴って、小型化し、しかも奥行きの狭いパネル状のものもあり、複数の機能を組み込んで大型化した操作或いは制御パネルを、規格化したシステムラックに組み込んで、システムを構築する場合も想定される。
【０００５】
本発明は上記課題に鑑みてなされたものであり、液晶モニタ等の電子機器を規格化されたシステムラックに収納することができ、さらにチルト機構を設けたラックマウントを提供することを目的とするものである。
【課題を解決するための手段】
【０００６】
本発明は上記課題を達成したものであり、請求項１の発明は、システムラックに電子機器を固定するためのラックマウントであって、前記ラックマウントが、前記システムラックの間口より大きい電子機器を設置するための枠体を備え、該枠体に前記電子機器の傾斜角を設定するチルト機構を備えたことを特徴とするラックマウントである。
【０００７】
また、請求項２の発明は、前記ラックマウントが、前記システムラックに固定するためのラック固定用ブラケットを備え、かつ該ラック固定用ブラケットに対して前記枠体を前後方向に移動可能なスライド機構を備えることを特徴とする請求項１に記載のラックマウントである。
【０００８】
また、請求項３の発明は、前記スライド機構が、前記枠体の側壁板と前記ラック固定用ブラケットとの間に平板を設け、該平板に前記電子機器の奥行き方向の位置調整用に任意のピッチで設けられた奥行き調整用孔群が設けられ、該奥行き調整用孔群の任意の貫通孔と前記ラック固定用ブラケットに設けられた奥行き固定用孔とをネジで締結し、前記電子機器の奥行き方向の位置決めをすることを特徴とする請求項２に記載のラックマウントである。なお、枠体の側壁板は後端部が湾曲状となっており、枠体による傾斜角を調整した際に、枠体の左右の両側壁板の後端部がスライド機構の固定用のネジと接触するのを防止することにより、枠体に比較的大きな傾斜角を与える。
【０００９】
また、請求項４の発明は、前記ラックマウントが、前記枠体の前面部に、前記電子機器を固定する電子機器固定用ブラケットを備え、前記チルト機構が、前記枠体の左右両側壁板の上下に円弧に沿う傾斜角調整用孔群が設けられ、該上下の傾斜角調整用孔群から該電子機器を所望の傾斜角とする傾斜角調整用孔を選択し、該傾斜角調整用孔と前記平板に設けた傾斜角固定用孔とをネジで締結し、前記システムラックに対する前記電子機器の傾斜角の位置決めをする請求項３に記載のラックマウントである。なお、ラック固定用ブラケットには、傾斜角調整用の貫通孔と傾斜角固定用孔とを締結するネジとの接触を防止するために凹部或いは切欠部が設けられている。
【００１０】
また、請求項５の発明は、前記電子機器が前記システムラックの間口より幅が大きい液晶モニタであることを特徴する請求項１〜４の何れかに記載のラックマウントである。また、小型の液晶モニタであっても複数個を並べて設置した場合に、その幅がシステムラックの間口より幅が大きい場合にも応用することができる。
【発明の効果】
【００１１】
請求項１の発明によれば、システムラックに電子機器を固定するためのラックマウントであって、前記ラックマウントが、前記システムラックの間口より大きい電子機器を設置するための枠体を備え、該枠体に前記電子機器の傾斜角を設定するチルト機構を備えたことを特徴とするラックマウントであるので、規格化されたシステムラックの間口より大きい幅を有する電子機器を装着することができ、チルト機構によりシステムラックの前面部に対して電子機器の表面の傾斜角を任意に設定することができる利点があり、視認性や使い勝手の良好な角度に設定することができる利点がある。
【００１２】
また、請求項２の発明によれば、前記ラックマウントが、前記システムラックに固定するためのラック固定用ブラケットを備え、かつ該ラック固定用ブラケットに対して前記枠体を前後方向に移動可能なスライド機構を備えることを特徴とする請求項１に記載のラックマウントであるので、枠体に支持される電子機器をスライド機構により、電子機器の位置を前後方向に移動させて、電子機器の表面部の視認性が良好であり、使い勝手の良好な位置に設定することができる利点がある。
【００１３】
また、請求項３の発明によれば、前記スライド機構が、前記枠体の側壁板と前記ラック固定用ブラケットとの間に平板を設け、該平板に前記電子機器の奥行き方向の位置調整用に任意のピッチで設けられた奥行き調整用孔群が設けられ、該奥行き調整用孔群の任意の貫通孔と前記ラック固定用ブラケットに設けられた奥行き調整用固定用孔とをネジで締結し、前記電子機器の奥行き方向の位置決めをすることを特徴とすることを特徴とする請求項２に記載のラックマウントであるので、スライド機構が平板と平板に設けた奥行き調整用孔群とラック固定用ブラケットに設けた奥行き固定用孔とにより、電子機器の表面の位置を所望の位置に設定することが可能であり、視認性或いは操作性の良好な位置に位置決めすることができる利点がある。
【００１４】
また、請求項４の発明によれば、前記ラックマウントが、前記枠体の前面部に、前記電子機器を固定する電子機器固定用ブラケットを備え、前記チルト機構が、前記枠体の左右両側壁板の上下に円弧に沿う傾斜角調整用孔群が設けられ、該傾斜角調整用孔群から該電子機器を所望の傾斜角とする傾斜角調整用孔を選択し、該傾斜角調整用孔と前記平板に設けた傾斜角固定用孔とをネジで締結し、前記システムラックに対する前記電子機器の傾斜角の位置決めをする請求項３に記載のラックマウントであるので、チルト機構による傾斜角を大きく設定することが可能であり、また、振動により傾斜角が変化することない利点がある。
【００１５】
また、請求項５の発明によれば、前記電子機器が前記システムラックの間口より幅が大きい液晶モニタであることを特徴する請求項１〜４の何れかに記載のラックマウントであるので、ワイド画面の液晶モニタを既存の規格化されたシステムラックに装着することができるし、既存のシステムラックに装着可能な制御パネル、操作盤或いは操作卓を利用して、種々の用途のシステムを構築することができる効果を有する。
【発明を実施するための最良の形態】
【００１６】
以下、本発明に係るラックマウントの実施の形態について図面を参照し説明する。図１は、大画面の液晶モニタを本願発明のシステムラックに搭載した斜視図であり、本願発明のラックマウントは液晶モニタ１１の背後に設けられている。図２は本発明に係るラックマウントの一実施形態を示す分解斜視図であり、システムラックは図示されていない。図３（ａ）は本実施形態のラックマウントにより液晶モニタが前後方向に移動可能であることを示すラックマウントの側面図であり、同図（ｂ）はその正面図である。図４はチルト機構を示す側面図である。図５（ａ），（ｂ）は液晶モニタを取り付けたラックマウントをシステムラックに装着する概略図である。
【００１７】
本実施形態のラックマウントは、図１に示したように、規格化されたシステムラック１０に、その間口より大きな幅を有する液晶モニタ１１を装着することができる。なお、図１は本実施形態のラックマウントは液晶モニタ１１の背後にあり、図示されていない。また、システムラック１０はマウント取付け開口寸法等が規格で定められ、操作卓、操作或いは制御パネル１２が規格寸法に則って搭載され、任意のシステムを構築することができるラックである。
【００１８】
本実施形態のラックマウントについて、図１，図２を参照して説明すると、ラックマウント１３は、液晶モニタ１１の裏面に固定される電子機器固定用ブラケット１４と、電子機器固定用ブラケット１４を固定する枠体１５と、枠体１５をシステムラック１０に固定するラック固定用ブラケット１６とから構成され、電子機器１１が搭載されたラックマウント１３はシステムラック１０の開口部から挿入されて装着される。枠体１５はその前面部に液晶モニタ１１を装着する電子機器固定用ブラケット１４が取り付けられ、液晶モニタ１１の画面を所望の傾斜角にするためのチルド機構を備えている。
【００１９】
電子機器固定用ブラケット１４は液晶モニタ１１の裏面部に取り付けられ、液晶モニタ１１と枠体１５とを接続するための支持部材である。電子機器固定用ブラケット１４の上部には位置決め用の開口部１４ａが設けられ、下部には貫通孔１４ｂが設けられている。電子機器固定用ブラケット１４は、ネジ１８を貫通孔１４ｂに挿通して枠体１５の前面部下部の貫通孔１５ｆに挿通して締結し、電子機器固定用ブラケット１４が枠体１５の前面部に固定される。また、電子機器固定用ブラケット１４には電源及び制御用配線を有するソケットが挿入される開口部１４ｃが設けられている。
【００２０】
枠体１５は、前面部の左右両側に前面部と一体の側壁板１５ａがそれぞれ設けられ、貫通孔が多数設けられた傾斜角調整用孔群１５ｂ，１５ｃによるチルト機構が設けられている。傾斜角調整用孔群１５ｂ，１５ｃは、枠体１５の側壁板１５ａの上下に設けられた多数の貫通孔であり、これらの貫通孔は、枠体１５を任意の傾斜角に設定するために設けられ、枠体１５を回動させた際の円弧に沿う位置に設けられている。枠体１５の両側壁板１５ａに設けられた傾斜角調整用孔群１５ｂ，１５ｃにより、枠体１５に任意の傾斜角を与えることによって、液晶モニタ１１を任意の傾斜角に調整することができる。枠体１５の前面部には液晶モニタ１１が固定される電子機器固定用ブラケット１４が係止され、かつ液晶モニタ１１の位置決めをする突部１５ｄが設けられている。枠体１５は、その左右の両側壁板１５ａの後端部が湾曲状となっており、枠体１５による傾斜角を調整した際、枠体１５の側壁板１５ａの後端部がスライド機構のネジと接触するのを防止し、システムラック１０の表面に対して比較的大きな傾斜角に設定し得る形状となっている。また、枠体１５の前面部の開口部１５ｅには液晶モニタ１１の電源及び制御用配線が挿通される。
【００２１】
枠体１５は、ラック固定用ブラケット１６に固定する際に、枠体１５の側壁板１５ａに設けられた傾斜角調整用孔群１５ｂと傾斜角調整用孔群１５ｃとの任意の貫通孔を選択し、この貫通孔とラック固定用ブラケット１６の傾斜角固定用の貫通孔とを合わせてネジ１９で締結し、枠体１５の前面部の傾斜角を任意に設定し、枠体１５に取り付けられる液晶モニタ１１の画面を所望の傾斜角に設定する。なお、傾斜角調整用孔群１５ｂ，１５ｃの円弧に沿う位置に設けられた多数の貫通孔及び傾斜角固定用の貫通孔は、挿通されるネジの直径より僅かに大きい程度の直径とし、振動によるチルト機構の弛みが発生するのを防止している。
【００２２】
枠体１５は、そのチルト機構により、枠体１５の前面部の傾斜角を設定した後、ラック固定用ブラケット１６がシステムラック１０のマウント取付け開口に差し込まれ、ラック固定用ブラケット１６の両側耳部１６ａに設けた貫通孔１６ｂにネジで締結し、ラック固定用ブラケット１６をシステムラック１０に固定される。
【００２３】
また、ラックマウント１３にはスライド機構が設けられ、システムラック１０のマウント取付け開口に挿入して固定した際に、液晶モニタ１１が必要以上にシステムラック１０の前面部から突出しないようになされている。ラックマウント１３のスライド機構は、枠体１５を前後方向に移動させて液晶モニタ１１の前面部が最良な位置に位置合わせすることが可能である。このスライド機構は、ラック固定用ブラケット１６と枠体１５の側壁板１５ａとの間に平板１７を設けて、枠体１５を前後方向に移動可能にしている。平板１７にはその上下に所定のピッチで奥行き調整用孔群１７ａ，１７ｂが設けられている。奥行き調整用孔群１７ａ，１７ｂの所望の貫通孔を選択してラック固定用ブラケット１６の位置決め用固定孔とを合わせてネジ２０で締結することによって、枠体１５を所望の位置に固定することができる。即ち、図３（ａ）に示したように、このスライド機構は、枠体１５に固定された液晶モニタ１１をシステムラック１０の開口部の前後方向に移動させることが可能である。なお、平板１７には平板１７が前後方向への移動がスムーズに行われるよううにガイド溝孔１７ｃが設けられ、ガイド溝孔１７ｃがラック固定用ブラケット１６から突出する突起２１に摺動可能に組み込まれている。
【００２４】
なお、上記実施形態において、枠体１５の両側壁板１５ａには、平板１７に設けられる奥行き調整用孔群１７ａ，１７ｂの任意の貫通孔に挿通されるネジ２０及びガイド溝孔１７ｃに嵌入した突起と接触しないように、切り込みが設けられ、チルト機構及びスライド機構による摺動の際に接触しないように構成されている。また、枠体１５と平板１７とを任意の傾斜角に設定し、ネジ１９で固定した際に、ネジ１９がラック固定用ブラケット１６に接触しないように、ラック固定用ブラケット１６には切欠部１６ｄ或いは溝状凹部が形成されている。
【００２５】
次に、図３（ａ）は、本実施形態におけるスライド機構による液晶モニタ１１の前後方向の移動を示す側面図であり、スライド機構はラック固定用ブラケット１６に対して平板１７を前後方向に移動可能としたものである。同図では距離Ｌで示した範囲を液晶モニタ１１が前後方向に移動することが可能である。スライド機構は、平板１７の上下に奥行き調整用孔群１７ａ，１７ｂに所定のピッチで貫通孔が設けられ、任意の貫通孔とラック固定用ブラケット１６に設けた位置決め用固定孔とをネジ２０で締結することにより奥行きが設定できる。ラック固定用ブラケット１６との平板１７の摺動は、図２に示したように、ラック固定用ブラケット１６の側面から突出する突起２１を平板１７に設けたスライド溝孔１７ｃに嵌合させ、平板１７を摺動させることにより、前後方向に容易に摺動させることができる。液晶モニタ１１は、このようなスライド機構によりシステムラック１０から突出する部分の突出の程度を調整し、奥行きを最適な位置に設定することができる。なお、この前後方向の移動は、奥行き調整用孔群１７ａ，１７ｂの貫通孔のピッチの間隔で行われるが、上記スライド機構に限定するものではなく、凸条畝部を嵌合させて平板１７とラック固定用ブラケット１６とをスライドさせる機構であってもよい。
【００２６】
また、図４（ａ），（ｂ）は、本実施形態におけるチルト機構を説明するための側面図であり、図４（ａ）は液晶モニタ１１が上向きに、図４（ｂ）では下向きに調整されている。先ず、液晶モニタ１１が最も上向きの場合について説明すると、枠体１５の側壁板１５ａの上側の傾斜角調整用孔群１５ｂの手前の貫通孔と平板１７の傾斜角固定用孔にネジ１９を挿通して締結し、下側の傾斜角調整用孔群１５ｃの最も奥の貫通孔と平板１７の傾斜角固定用孔にネジ１９を挿通して締結することによって、枠体１５の前面部が最も上向きの傾斜角に設定することができる。また、液晶モニタ１１が最も下向きの場合について説明すると、枠体１５の側壁板１５ａの上側の傾斜角調整用孔群１５ｂの最も奥の貫通孔と平板１７の傾斜角固定用孔にネジ１９を挿通して締結し、下側の傾斜角調整用孔群１５ｃの最も手前の貫通孔と平板１７の傾斜角固定用孔にネジ１９を挿通して締結することによって、枠体１５を最も下向き傾斜角に設定することができる。なお、平板１７の傾斜角固定用孔は手前の所定位置に設けられており、傾斜角固定用孔は近接して数カ所設けてもよい。
【００２７】
次に、本実施形態のラックマウント１３の装着方法について、図５（ａ），（ｂ）を参照して簡単に説明する。装着方法は、ラックマウント１３のスライド機構及びチルト機構を調整し、システムラック１０に取り付けた後、液晶モニタ１１を装着する。先ず、ラック固定用ブラケット１６に対し平板１７を摺動させて奥行きを調整し、ネジ２０により固定し、平板１７に対して枠体１６の傾斜角を設定し、ネジ１９で平板１７と枠体１６とを締結する。このラックマウント１３をシステムラック１０の開口部に挿入し、ラック固定用ブラケット１６の耳部１６ａの貫通孔１６ｂとシステムラック１０の貫通孔１０ｃにネジを挿通し締結してラックマウント１３を取り付ける。続いて、液晶モニタ１１の裏面に固定した電子機器固定用ブラケット１４を枠体１６の前面部に装着する。なお、液晶モニタ１１がシステムラック１０のフロント部材１０ｂに接触しないよう、予めスライド機構及びチルト機構を調整する。
【００２８】
また、他の装着方法としては、ラック固定用ブラケット１６と平板１７と枠体１５とによるチルト機構及びスライド機構を調整する。続いて、電子機器固定用ブラケット１４を液晶モニタ１１の裏面に取り付けた後、枠体１５の前面部に電子機器固定用ブラケット１４を取り付けるようにして装着する。これらをシステムラック１０に装着してもよい。
【００２９】
なお、本実施形態では、チルト機構とスライド機構との両方を備えるラックマウントについて説明したが、チルト機構とスライド機構の何れか一つを備えるラックマウントであってもよいことは明らかである。スライド機構を備えない場合は、上記ラックマウントから平板を取り除くことができる。また、チルト機構を備えない場合は、上記ラックマウントから平板を取り除き、傾斜角調整用孔群をラック固定用ブラケットに設ければよい。
【００３０】
さらに、本実施形態におけるチルト機構に加えて、傾斜角の微調整が可能なチルト機構を電子機器固定用ブラケットに付加してもよい。このような微調整用チルト機構としては、例えば、電子機器固定用ブラケットの上部に液晶モニタを回動自在に支持し、手動で回転する歯車（ピニオン）の運動をラックにより前後方向の運動に変換し、傾斜角の微調整を行うようにしてもよい。
【産業上の利用可能性】
【００３１】
本発明の活用例としては、上記実施形態において液晶パネルを規格化されたシステムラックに装着する例を示したが、操作又は制御パネル等の電子機器にも利用することができる。本発明のラックマウントは、規格化されたシステムラックであっても横幅が長尺の液晶パネルや操作パネル等の電子機器の設置に有効であり、最適な傾斜角に設定し、操作性を改善することができ、多様性のあるシシテムの構築に有効である。
【図面の簡単な説明】
【００３２】
【図１】本願発明に係るラックマウントを用いて、大画面の液晶モニタをシステムラックに搭載した斜視図である。
【図２】本発明に係るラックマウントの一実施形態を示す分解斜視図である。
【図３】（ａ）は液晶モニタが前方方向に移動可能であることを示す側面図であり、（ｂ）はその正面図である。
【図４】本実施形態のチルト機構を説明するための側面図である。
【図５】（ａ），（ｂ）は液晶モニタを取り付けたラックマウントをシステムラックに装着する概略図である。
【図６】液晶パネルが取り付けられた従来のチルト機構を備えるラックマウントの斜視図である。
【符号の説明】
【００３３】
１０  システムラック
１１  液晶モニタ（電子機器）
１２  制御パネル
１３  ラックマウント
１４  電子機器固定用ブラケット
１４ａ  開口部
１４ｂ  貫通孔
１５  枠体
１５ａ  側壁板
１５ｂ，１５ｃ  傾斜角調整用孔群
１５ｄ  突部
１５ｅ  開口部
１５ｆ  固定孔
１６  ラック固定用ブラケット
１６ａ  耳部
１６ｂ  貫通孔
１６ｄ  切欠部
１７  平板
１７ａ，１７ｂ  奥行き調整用孔群
１７ｃ  ガイド溝孔
１８，１９，２０  ネジ
２１  突起
【図１】
2006227077.tif 000003
【図２】
2006227077.tif 000004
【図３】
2006227077.tif 000005
【図４】
2006227077.tif 000006
【図５】
2006227077.tif 000007
【図６】
2006227077.tif 000008